(57)【要約】【課題】柱を横材に確実に接合でき、適用上の制約のない接合装置を提供する。【解決手段】土台３より突設して柱５に嵌挿したアンカーボルト１Ａの先端にリング片８を設け、該リング片８を通じて第一接続杆１２を前記柱５に嵌挿する。第一接続杆１２の下側に第一接続杆１２と交差方向にして前記リング片８を介して互いに並ぶ一対の第二接続杆１３，１３を前記柱５に嵌挿する。【特許請求の範囲】
【請求項１】
土台などの横材より突設して柱に嵌挿した棒杆の先端に透孔を設け、該透孔を通じて第一接続杆を前記柱に嵌挿すると共に、該第一接続杆の下側に該第一接続杆と交差方向にして前記棒杆を介して互いに並ぶ一対の第二接続杆を前記柱に嵌挿した、柱の接合装置。
【発明の詳細な説明】
【０００１】
【産業上の利用分野】
本発明は、土台や梁、桁などの横材に柱を接合するために用いる、木製の柱の接合装置に関するものである。
【０００２】
【従来の技術】
基礎コンクリートに突設したアンカーボルトの先端を前記基礎コンクリート上に載置した土台を通じて土台上に突設し、該先端を中央円筒部を貫通させるように平板状の接続金具を前記アンカーボルトに組付け、該接続金具部を前記土台上に立設した柱に嵌挿してドリフトピンで互いに接続した構造の物がある（例えば、特許文献１）。
【０００３】
【特許文献１】
特開平８−１８４０６２号公報
【０００４】
【発明が解決しようとする課題】
前記従来例は、柱側に設けたスリットにアンカーボルト側の平板状の接続金具を嵌挿して柱と土台とを互いに組合わせる構成を採るものであるため、スリットが柱の表面に現われる外観上の体裁が損なわれる関係から適用上の制約を受ける不具合がある。
【０００５】
本発明は柱表面に現われるスリットによる外観体裁の低減の生じることがなく、柱を横材に確実に接合することのできる装置を提供することを目的として創案したものである。
【０００６】
【課題を解決するための手段】
土台などの横材より突設して柱に嵌挿した棒杆の先端に透孔を設け、該透孔を通じて第一接続杆を前記柱に嵌挿すると共に、該第一接続杆の下側に該第一接続杆と交差方向にして前記棒杆を介して互いに並ぶ一対の第二接続杆を前記柱に嵌挿した構成とするのである。
【０００７】
【発明の実施の形態】
図面は本発明に係る柱の接合装置の実施形態を示し、図１は縦断面図、図２は図１の中央縦断面図、図３は横断面図、図４は接続材の分解斜視図、図５は他実施形態の縦断面図である。
【０００８】
図中、１Ａ，１Ｂは基礎コンクリート２上に載置した土台３を通じて土台３より先端を突出させたボルトで、該ボルト１Ａ，１Ｂの前記先端には接続材４を螺合して組付けて、前記土台３に立設した柱５に縦設した係合穴６に係合してある。
【０００９】
前記ボルト１Ａ，１Ｂ中、図１乃至図４で示す第一実施形態のものは、基部（アンカー部）を前記基礎コンクリート２に埋設して該基礎コンクリート２に立設したアンカーボルトを示し、図５で示す第二実施形態のボルト１Ｂは、前記土台３の下面に設けた受入穴７（頭部が方形や円形の平板体で構成したボルトを用いて六角頭ボルト１Ｂに代るものとした場合はこの受入穴７は省略される）に頭部を没入させるようにして土台３に係止したボルト体である。すなわち、第一実施形態がアンカーボルト１Ａを利用して柱５を土台３に延いては基礎コンクリート２に接合するようにしたものであるに対し、第二実施形態は、所謂六角頭ボルト１Ｂを用いて柱５を土台３に接合するようにし、両者はこの点が異なるだけで、互いに同一符合で示す通り残余の点は同じ構成を採るものである。
【００１０】
もっとも、第二実施形態の土台３に代えて梁や桁などの横架材にも適用できるから、本発明は土台に対する柱の接合のためのみに限定する必要はなく、要は、横材側に棒杆を係止して該横材に対して柱を接合する構造のものであれば良いのである。
【００１１】
前記接続材４は、アンカーボルト１Ａ又は六角頭ボルト１Ｂの先端（実施形態でいえば上端）に螺合した基筒４Ａと該基筒４Ａの先端部に螺合した接続片４Ｂとで成り、接続片４Ｂを先端のリング片８と前記基筒４Ａに螺合した螺子杆９との間に先端を小径側とした円錐台形状の仲介片１０とで構成したもので、この接続材４の前記リング片８と、該リング片８に一致させるように前記係合穴６に直交するようにして前記柱５に設けた上側貫通孔１１に第一接続杆１２を嵌挿してリング片８と柱５を互いに組付け、該第一接続杆１２の下側には前記仲介片１０と第一接続杆１２に周側が部分的に接するように仲介片１０を介して相隣接する一対の第二接続杆１３，１３を前記柱５に設けた下側貫通孔１４，１４を通じて嵌挿して実施例装置としたものである。
【００１２】
第一、第二の接続杆１２，１３は所謂ドリフトピンで構成してあるが、ドリフトピンと称するものと違えても不都合はない（例えば、ボルトとナット）が、例えば、リング片８の窓孔８ａと上側貫通孔１１との位置をわずかにずらせておいた状態でドリフトピン（第一接続杆１２）を強制的に打込むことにより柱５の土台３に対する引寄せ効果を図ることができ、第一接続杆１２と接続材４（仲介片１０）との間に第二接続杆１３（ドリフトピン）を下側貫通孔１４に打込むことによっても同様の効果を期待でき、従って、ドリフトピンで構成すべきである。
【００１３】
また、実施形態の場合は、柱５に設けたほぞ１５を、土台３側に設けたほぞ穴１６に嵌合し、前記ほぞ１５の中央部位に前記係合穴５を配する一方、土台３側に設けたほぞ穴１６の中央部位に前記ボルト１Ａ，１Ｂの通孔１７を設けてあるが、柱５の径によってはほぞ１５とほぞ穴１６を利用したほぞ接合は省略しても良い。もっとも、このほぞ接合と、接続材４と接続杆１２，１３を用いた金具接合を併用することにより柱の接合強度が増大する。
【００１４】
なお、第一、第二の接続杆１２，１３は互いに直交方向に配してあるが、これは施工の作業性を向上させるためで、作業性を無視して、かつ、強度的に不都合がなければ交差方向に配してありさえすれば良く、また、第一、第二の接続杆１２，１３は互いに隣接し、望ましくは接触する位置関係にすることにより引抜きにより対処した堅牢な接合装置を得られる。
【００１５】
因みに、実施形態は所謂ボルトに接続材４を螺合してリング片８をボルト先端に設けるようにしているが、これは製造上の便宜を意図したものであって、所謂、棒杆体の先端にリング片を一体にした構造のものでも良く、この場合は、当該棒杆体のねじは不要となることはいうまでもない。
【００１６】
もっとも棒杆体の径によるが、リング片を用いずに該棒杆体に直接透孔（実施形態の窓孔８ａに代る）を設けてこれに第一接続杆を貫通させるようにしても必ずしも不都合はない。
【００１７】
しかして、第一実施形態にあっては、アンカーボルト１Ａの先端にリング片８が柱５側に設けた上側貫通孔１１と一致する方向に位置するようにして接続材４を螺合して組付けておき、通孔１７を利用してボルト杆すなわちアンカーボルト１Ａを相対的に貫通するようにして土台３を基礎コンクリート２上に載置し、次いで、接続材４を組付けたボルト杆１Ａの先端側を係合穴６（穴径を可及的に大きくすることによりボルト１Ａ，１Ｂの多少の傾斜にも対応できる）に嵌挿しつつ、ほぞ１５をほぞ穴１６に嵌合するようにして立設し、そして、第一接続杆１２と第二接続杆１３を順次打込むことによって実施形態の装置を得るのである。
【００１８】
第二実施形態は、ボルト杆すなわち六角頭ボルト１Ｂの先端を土台３の下面側から通孔１７に挿通するように組合わせて基礎コンクリート２上に土台３を載置し、次いで、ボルト先端に第一実施形態と同様に接続材４を組付け、以下、柱５を土台３上に立設する等第一実施形態と同様の順序を経て当該形態装置を得られるのである。
【００１９】
なお、第一実施形態にあっては、土台３を基礎コンクリート２に載置した後に、アンカーボルト１Ａに接続材４を組付けるようにしても良いことはいうまでもない。
【００２０】
【発明の効果】
本発明は前記の通りの構成であるから、第一、第二の接続杆が棒杆にいわば係止することになり、しかも、柱側に柱をいわば２分割するスリットがないこと相俟って、柱の耐引抜き強度が増大した柱の接合装置を提供でき、スリットの存在による適用上の制約もなく実用的である。
【図面の簡単な説明】
【図１】縦断面図。
【図２】図１の中央縦断面図。
【図３】横断面図。
【図４】接続材の分解斜視図。
【図５】他実施形態の縦断面図。
【符号の説明】
１Ａ    アンカーボルト
３      土台
５      柱
８      リング片
１２    第一接続杆
１３    第二接続杆
【図１】
2004353182.tif 000002
【図２】
2004353182.tif 000003
【図３】
2004353182.tif 000004
【図４】
2004353182.tif 000005
【図５】
2004353182.tif 000006